(57)【特許請求の範囲】
【請求項１】
上方部にタバコの煙を吸い込む吸込口と灰皿を有し、内部に設けたフィルターで浄化する箱状の本体と、この本体の下面に設けられる移動用キャスターと、この移動用キャスターが載置される形状で前記本体の床面積より大きく設置場所に置かれる平板状の台座と、
前記本体の下部に下方に突出し、その高さが前記移動用キャスターよりも低いフランジと、
前記台座に上方へ突出し、その高さが前記移動用キャスターよりも低い切り起し片とを備え、
前記台座上に移動用キャスターを介して前記本体を所定位置に移動し、
前記フランジと切り起し片を断面コの字状の結合金具を介して結合して本体を台座に固定し、喫煙者は前記台座上に乗って喫煙することができる構成とした空気清浄機。
【発明の詳細な説明】
【０００１】
【発明の属する技術分野】
本発明は喫煙時に発生する煙を浄化して環境の良化を図ることのできる空気清浄機に関する。
【０００２】
【従来の技術】
近年、交通機関や人が集まる場所における喫煙が環境の悪化を防止するために限定される傾向にあり、タバコの煙が拡散されないように捕集して浄化する空気清浄機に対する要求が高まってきている。
【０００３】
従来、この種の空気清浄機の一例として図３に示すものが知られていた。以下その構成について、図３を参照しながら説明する。
【０００４】
図に示すように、上部に灰皿１０１とタバコの煙を吸い込む吸込口１０２を設け、箱状の本体１０３の内部には吸込口１０２より吸い込んだタバコの煙を浄化するフィルター１０４と送風機１０５を組み込み下方部に排気口１０６を設け、本体１０３の下面には本体１０３の床面積より大きい台座１０７を設け、台座１０７には移動用キャスター１０８を設けて本体１０３が倒れないように構成した。
【０００５】
【発明が解決しようとする課題】
このような従来の空気清浄機では、台座１０７の下方に移動用キャスター１０８を設けているため、台座１０７が設置面１０９より移動用キャスター１０８の高さ分だけ高い位置に設置されるため、本体１０３の近傍で喫煙しようとするときには台座１０７が邪魔になり喫煙者が本体１０３に近づきにくく使い勝手が悪いという課題があった。
【０００６】
また、台座１０７に移動用キャスター１０８が取り付けられているため、梱包才数を節減するため梱包時において、台座１０７を本体１０３より取り外し梱包しようとする場合には、本体１０３には移動用のキャスター１０８がないため重量のある本体１０３を台座１０７より取り外し移動したり、設置時においては台座１０７上に本体１０３を持ち上げ載置して取り付けることとなり、重労働で作業性が悪いので、本体１０３を台座１０７に取り付けたままの状態で梱包されていた結果、梱包才数が大きくなるという課題があった。
【０００７】
本発明は上記課題を解決するもので、本体が倒れるのを防止するため、本体に台座を設けた場合においても台座が喫煙者の喫煙に邪魔にならないようにできるとともに、重量のある本体には移動用キャスターを設け、移動を容易にした状態で梱包才数の節減を図ることのできる空気清浄機を提供することを目的とする。
【０００８】
【課題を解決するための手段】
本発明の空気清浄機においては、上方部にタバコの煙を吸い込む吸込口を有し、内部に設けたフィルターで浄化する箱状の本体と、この本体の下面に設けられる移動用キャスターと、この移動用キャスターが載置される形状で前記本体の床面積より大きく設置場所に置かれる台座と、前記本体と台座を所定位置で結合する結合手段とを備え、前記台座上に移動用キャスターを介して前記本体を所定位置に移動し、本体を台座に結合する構成としたものである。
【０００９】
この本発明によれば、本体が倒れるのを防止するため本体に台座を設けた場合においても台座が喫煙者の喫煙に邪魔にならないようにするととともに、重量のある本体には移動用キャスターを設け、移動を容易にした状態で梱包才数の節減を図ることのできる空気清浄機を提供することができる。
【００１０】
【発明の実施の形態】
本発明の請求項１に記載の発明は、上方部にタバコの煙を吸い込む吸込口と灰皿を有し、内部に設けたフィルターで浄化する箱状の本体と、この本体の下面に設けられる移動用キャスターと、この移動用キャスターが載置される形状で前記本体の床面積より大きく設置場所に置かれる平板状の台座と、前記本体の下部に下方に突出するフランジと、前記台座に上方へ突出し、その高さが前記移動用キャスターよりも低い切り起し片とを備え、前記台座上に移動用キャスターを介して前記本体を所定位置に移動し、前記フランジと切り起し片を断面コの字状の結合金具を介して結合して本体を台座に固定し、喫煙者は前記台座上に乗って喫煙することができる構成とした空気清浄機であり、台座は設置場所に置かれ、その上に移動用キャスターを設けた本体を移動させ載置させることにより、本体の近傍で喫煙者が喫煙するときに、台座上に乗ることが可能となって本体の吸込口近傍で喫煙することができ、タバコの煙の捕集効率が向上するとともに、本体には移動用キャスターが設けられているので梱包時の移動が容易で台座を分解した状態で梱包ができるので梱包才数を節減することができるという作用を有する。
【００１１】
以下、本発明の実施の形態について図１、図２を参照しながら説明する。
（実施の形態１）
図１および図２に示すように、内部にタバコの煙等を浄化するフィルター１とフィルター１を通して吸気する送風機２を設けた箱状の本体３の上部に灰皿４を中央部に有した吸込口５を設け、本体３の下面に移動用キャスター６を設け、この移動用キャスター６が載置される形状で本体３の床面積より大きい形状で設置場所に置かれる平坦状の台座７を形成し、本体３の下部に移動用キャスター６の高さより低い形状で下方に突出するフランジ８を設け、台座７には移動用キャスター６の高さより低い切り起し片９を設け、フランジ８と切り起し片９にはそれぞれ係合孔１０とねじ１１のねじ孔１２を形成し、係合孔１０に係合しねじ１１により結合されるコの字状の結合金具１３を設け、本体３と台座７を所定位置で結合する結合手段１４を形成した構成とする。
【００１２】
上記構成において、空気清浄機を設置するときには、設置場所に台座７を敷き、その上に本体３を移動用キャスター６を使用して移動し、本体３に設けたフランジ８と台座７に設けた切り起し片９の位置を合わせ、フランジ８と切り起し片９に設けた係合孔１０に結合金具１３を係合することにより、ねじ通し穴１２ａとねじ孔１２の位置が容易に決まり、ねじ１１をねじ孔１２に螺合して結合し、台座７上に本体３を取り付け、本体３が倒れないように設置する。そして、喫煙者が喫煙するときには、台座７は地面上で平坦に設けられているので、台座７上に乗って喫煙することができ、喫煙者は吸込口５近くに近づいて喫煙することができる。
【００１３】
また、本体３と台座７は分解して梱包し、組立時には平坦な台座７上に移動用キャスター６を使用し移動して本体３と台座７を結合手段１４を介して結合し組み立てることができる。このとき、本体３に設けたフランジ８および台座７に設けた切り起し片９の高さを移動用キャスター６の高さより低くしているので台座７上で本体３の移動がスムーズに行われることとなる。
【００１４】
このように本発明の実施の形態１の空気清浄機によれば、本体３の下面に移動用キャスター６を設け、地面上等に設置される台座７の上に本体３を結合手段１４を介して結合しているので、喫煙者が台座７上に乗って喫煙することが可能となり喫煙者が吸込口５に近づけることによりタバコの煙の捕集効率が向上するとともに、本体３に移動用キャスター６が設けられているため、組立や分解が容易で、本体３と台座７を分解して梱包することが可能となり梱包才数の節減を図ることができる。
【００１５】
また、移動用キャスター６の高さより低いフランジ８と切り起し片９を本体３と台座７に設け、コの字状の結合金具で結合自在としているので、台座７上での本体３の移動も容易で結合も簡単に行うことができる。
【００１６】
【発明の効果】
以上の実施の形態から明らかなように、本発明によれば、上方部にタバコの煙を吸い込む吸込口を有し、内部に設けたフィルターで浄化する箱状の本体と、この本体の下面に設けられる移動用キャスターと、この移動用キャスターが載置される形状で前記本体の床面積より大きく設置場所に置かれる台座と、前記本体と台座を所定位置で結合する結合手段とを備え、前記台座上に移動用キャスターを介して前記本体を所定位置に移動し、本体を台座に結合する構成としたので、本体が倒れないようにする台座が喫煙者の喫煙に邪魔にならないようにでき、集煙効率が向上するとともに、本体の移動が容易で本体と台座を分離して梱包することにより梱包才数の節減を図ることのできる空気清浄機を提供できる。
【００１７】
また、本体の下部に下方に突出するフランジを設け、台座に上方へ突出する切り起し片を設け、前記フランジと切り起し片を断面コの字状の結合金具を介して結合自在としたので、台座上での本体の移動が容易で、結合を簡単に行うことができる。
【図面の簡単な説明】
【図１】本発明の実施の形態１の空気清浄機の構成を示す正面図
【図２】同空気清浄機の本体と台座の結合状態を示す拡大断面図
【図３】従来の空気清浄機の構成を示す正面図
【符号の説明】
１    フィルター
３    本体
５    吸込口
６    移動用キャスター
７    台座
８    フランジ
９    切り起し片
１３  結合金具
１４  結合手段
【図１】
0004156085.tif 000002
【図２】
0004156085.tif 000003
【図３】
0004156085.tif 000004